(57)【要約】【課題】刷版装着用溝及びブランケット装着用溝に起因する版胴の振動を低減させることができると共に、刷版の端部に残留したインキが被印刷体の表面に印刷されることを抑制することが可能なブランケット胴、印刷胴対及びオフセット輪転印刷機を提供する。【解決手段】軸方向に沿って延びるブランケット装着用溝が形成されたブランケット胴本体と、ブランケット胴本体の外周面に装着されるシート状の印刷用ブランケットと、ブランケット胴本体のブランケット装着用溝に沿って延び、該ブランケット装着用溝に埋め込まれる埋め部材とを備え、埋め部材は、ブランケット胴本体に装着された印刷用ブランケットの外周面と周方向に連続する天面部を有し、該天面部が、印刷用ブランケットの外周面よりも高い撥インキ性を有している。【選択図】図３
2017154425.tif 000002
【特許請求の範囲】
【請求項１】
軸方向に沿って延びるブランケット装着用溝が形成されたブランケット胴本体と、
ブランケット胴本体の外周面に装着されるシート状の印刷用ブランケットと、
ブランケット胴本体のブランケット装着用溝に沿って延び、該ブランケット装着用溝に埋め込まれる埋め部材と
を備え、
埋め部材は、ブランケット胴本体に装着された印刷用ブランケットの外周面と周方向に連続する天面部を有し、該天面部が、印刷用ブランケットの外周面よりも高い撥インキ性を有している
ことを特徴とするブランケット胴。
【請求項２】
請求項１に記載のブランケット胴であって、
埋め部材の天面部は、印刷用ブランケットの外周面よりもインキに対する親和性が低い材料からなる撥インキ層を有している
ことを特徴とするブランケット胴。
【請求項３】
請求項２に記載のブランケット胴であって、
埋め部材の天面部は、撥インキ層と、撥インキ層に積層された粘着層とを有するシート材からなる
ことを特徴とするブランケット胴。
【請求項４】
請求項１に記載のブランケット胴であって、
埋め部材は、印刷用ブランケットの外周面よりもインキに対する親和性が低い材料を含有する材料から形成されている
ことを特徴とするブランケット胴。
【請求項５】
請求項１〜４いずれか１項に記載のブランケット胴であって、
印刷用ブランケットは、
長手方向の各端部にブランケット胴本体のブランケット装着用溝に対する取付部が設けられたシート状のブランケット本体と、
ブランケット本体の長手方向の中央部において、該ブランケット本体の幅方向の一端部又はその近傍から幅方向の他端部又はその近傍に亘って、該ブランケット本体の幅方向に沿って設けられた帯状の撥インキ部と
を備え、
埋め部材の天面部及び印刷用ブランケットの撥インキ部は、ブランケット本体の外周面よりも高い撥インキ性を有している
ことを特徴とするブランケット胴。
【請求項６】
請求項５に記載のブランケット胴であって、
撥インキ部は、ブランケット本体の外周面よりもインキに対する親和性が低い材料からなる撥インキ層と、撥インキ層をブランケット本体の外周面に貼り付ける粘着層とを有するシート材からなる
ことを特徴とするブランケット胴。
【請求項７】
請求項１〜６いずれか１項に記載のブランケット胴と、外周面に刷版が装着された版胴とを備え、ブランケット胴の印刷用ブランケットと版胴の刷版とが接触した状態で印刷稼働回転することにより、刷版のインキを印刷用ブランケットを介して被印刷体に印刷する印刷胴対であって、
ブランケット胴は、版胴の周長の２倍の周長を有している
ことを特徴とする印刷胴対。
【請求項８】
請求項７に記載の印刷胴対を備える
ことを特徴とするオフセット輪転印刷機。
【発明の詳細な説明】
【技術分野】
【０００１】
本発明は、オフセット輪転印刷機に用いられるブランケット胴並びに該ブランケット胴を備える印刷胴対及びオフセット輪転印刷機に関するものである。
【背景技術】
【０００２】
従来、新聞用オフセット輪転印刷機に用いられる印刷ユニットは、多数のインキ供給ローラーを有するインキ供給装置と、刷版が装着される版胴と、ブランケットが装着されるブランケット胴とを備えており、インキ供給装置から供給されたインキが版胴を介してブランケット胴に供給され、ブランケット胴が走行する連続紙（被印刷体）と所定の圧力で接触することにより、連続紙に刷版の内容（文字や画像等）が転写されるよう構成されている。
【０００３】
このような印刷ユニットに用いられる従来の版胴は、軸方向に沿って延びる刷版装着用溝と、刷版装着用溝に連続する内部空間である収容部とが形成されており、刷版装着用溝のエッジ部に刷版の一端部を係止させると共に、収容部に収容された刷版装着装置の刷版装着用係止部材によって刷版の他端部を牽引することにより、刷版を周面に巻き付けるよう構成されている。また、従来のブランケット胴も同様に、軸方向に沿って延びるブランケット装着用溝と、ブランケット装着装置を収容する収容部とが形成されており、ブランケット装着用溝のエッジ部及びブランケット装着装置によってブランケットを周面に巻き付けるよう構成されている。
【０００４】
近年、新聞用オフセット輪転印刷機として、４（Ｗ）×１（Ｌ）の周面を有する版胴（所謂、１倍胴の版胴）と、４（Ｗ）×２（Ｌ）の周面を有するブランケット胴（所謂、２倍胴のブランケット胴）とを備えるオフセット輪転印刷機（以下、「４（Ｗ）×１（Ｌ）型オフセット輪転印刷機」という）が提案されている（例えば、特許文献１）。ここで、「４（Ｗ）×１（Ｌ）」とは、胴の周面が、新聞（例えばブランケット判）１頁の横幅の約４倍に相当する軸方向の長さ（Ｗ）を有し、かつ、新聞１頁の縦方向の長さと略等しい周方向の長さ（Ｌ）を有することを意味している。また、「４（Ｗ）×２（Ｌ）」とは、胴の周面が、新聞（例えばブランケット判）１頁の横幅の約４倍に相当する軸方向の長さを有し、かつ、新聞１頁の縦方向の長さの約２倍に相当する周方向の長さを有することを意味している。このような４（Ｗ）×１（Ｌ）型オフセット輪転印刷機は、４（Ｗ）×２（Ｌ）の周面を有する版胴と、４（Ｗ）×２（Ｌ）の周面を有するブランケット胴とを備える一般的なオフセット輪転印刷機と比較して、使用する刷版の量を減らすことができると共に、輪転印刷機の小型化及び軽量化を図ることができ、また、消費電力を抑えることができるという様々な利点を有するものである。
【先行技術文献】
【特許文献】
【０００５】
【特許文献１】特許第５４６５８８６号公報
【発明の概要】
【発明が解決しようとする課題】
【０００６】
しかしながら、従来の４（Ｗ）×１（Ｌ）型オフセット輪転印刷機は、版胴の径が細く撓み易い上、図８に示すように、刷版装着用溝１１２が版胴１１０の一端部１１０ａから他端部１１０ｂに亘って一本の直線状に形成されている。このため、印刷用ブランケット１０４，１０４が装着されたブランケット胴１２０と刷版１０２，１０２が装着された版胴１１０とが所定の印圧作用下で接触しながら回転している状態で、版胴１１０の刷版装着用溝１１２がブランケット胴１２０のブランケット装着用溝１２２と対向すると、版胴１１０の長手方向の全域に亘って印圧変動が生じ、この衝撃で版胴１１０が大きく振動し、連続紙（被印刷体）の表面にショック目やダブリ等の印刷障害が生じるおそれがあるという問題がある。また、このような版胴１１０の振動は、印刷障害だけでなく、版胴１１０や版胴１１０内に内蔵する刷版装着装置（図示せず）等の破損を引き起こすおそれがある。
【０００７】
そこで、本発明者は、鋭意検討の結果、ブランケット胴１２０のブランケット装着用溝１２２に埋め部材（図示せず）を取り付け、ブランケット装着用溝１２２を埋めることにより、ブランケット装着用溝１２２に起因する振動を低減させることを見出した。しかしながら、一般に、ブランケット装着用溝１２２の溝幅は、刷版装着用溝１１２の溝幅よりも大きく、それゆえ、ブランケット装着用溝１２２に埋め込まれる埋め部材の幅も、刷版装着用溝１１２の溝幅よりも大きく形成される。このため、版胴１１０の刷版装着用溝１１２に装着されている刷版１０２，１０２の端部に残留したインキが埋め部材に転移し、その結果、埋め部材に転移した残留インキが連続紙（被印刷体）の表面に印刷され、印刷品質が低下する等の不都合が生じるおそれがあるという新たな問題が生じた。
【０００８】
本発明は、上述した従来技術の問題点に鑑みてなされたものであり、その目的は、刷版装着用溝及びブランケット装着用溝に起因する版胴の振動を低減させることができると共に、刷版の端部に残留したインキが被印刷体の表面に印刷されることを抑制することが可能なブランケット胴、印刷胴対及びオフセット輪転印刷機を提供することにある。
【課題を解決するための手段】
【０００９】
本発明に係るブランケット胴は、軸方向に沿って延びるブランケット装着用溝が形成されたブランケット胴本体と、ブランケット胴本体の外周面に装着されるシート状の印刷用ブランケットと、ブランケット胴本体のブランケット装着用溝に沿って延び、該ブランケット装着用溝に埋め込まれる埋め部材とを備え、埋め部材は、ブランケット胴本体に装着された印刷用ブランケットの外周面と周方向に連続する天面部を有し、該天面部が、印刷用ブランケットの外周面よりも高い撥インキ性を有していることを特徴とする。
【００１０】
本発明に係るブランケット胴において、埋め部材の天面部は、印刷用ブランケットの外周面よりもインキに対する親和性が低い材料からなる撥インキ層を有するとしても良い。
【００１１】
この場合において、埋め部材の天面部は、撥インキ層と、撥インキ層に積層された粘着層とを有するシート材からなることが好ましい。
【００１２】
また、本発明に係るブランケット胴において、埋め部材は、印刷用ブランケットの外周面よりもインキに対する親和性が低い材料を含有する材料から形成されるとしても良い。
【００１３】
本発明に係るブランケット胴において、印刷用ブランケットは、長手方向の各端部にブランケット胴本体のブランケット装着用溝に対する取付部が設けられたシート状のブランケット本体と、ブランケット本体の長手方向の中央部において、該ブランケット本体の幅方向の一端部又はその近傍から幅方向の他端部又はその近傍に亘って、該ブランケット本体の幅方向に沿って設けられた帯状の撥インキ部とを備え、埋め部材の天面部及び印刷用ブランケットの撥インキ部は、ブランケット本体の外周面よりも高い撥インキ性を有することが好ましい。
【００１４】
この場合において、撥インキ部は、ブランケット本体の外周面よりもインキに対する親和性が低い材料からなる撥インキ層と、撥インキ層をブランケット本体の外周面に貼り付ける粘着層とを有するシート材からなることが好ましい。
【００１５】
本発明に係る印刷胴対は、上述したブランケット胴と、外周面に刷版が装着された版胴とを備え、ブランケット胴の印刷用ブランケットと版胴の刷版とが接触した状態で印刷稼働回転することにより、刷版のインキを印刷用ブランケットを介して被印刷体に印刷する印刷胴対であって、ブランケット胴は、版胴の周長の２倍の周長を有していることを特徴とする。
【００１６】
また、本発明に係るオフセット輪転印刷機は、上述した印刷胴対を備えることを特徴とする。
【発明の効果】
【００１７】
本発明によれば、刷版装着用溝及びブランケット装着用溝に起因する版胴の振動を低減させることができると共に、刷版の端部に残留したインキが被印刷体の表面に印刷されることを抑制することが可能なブランケット胴、印刷胴対及びオフセット輪転印刷機を提供することができる。
【図面の簡単な説明】
【００１８】
【図１】図１（ａ）は、本発明の第１実施形態に係る印刷胴対の概略構成を示す斜視図であり、図１（ｂ）は、図１（ａ）のＡ部分を拡大して示す概略部分拡大図である。
【図２】図１（ａ）に示すブランケット胴が１８０度回転し、版胴が３６０度回転した状態を示す斜視図である。
【図３】第１実施形態に係るブランケット胴のブランケット装着用溝近傍を拡大して示す概略部分拡大断面図である。
【図４】第１実施形態に係る印刷用ブランケットの概略構成を示す斜視図である。
【図５】第１実施形態に係る埋め部材の概略構成を一部省略して示す斜視図である。
【図６】第１実施形態に係る印刷胴対の印刷稼働時の動作を示す工程図である。
【図７】本発明の第２実施形態に係る埋め部材の概略構成を一部省略して示す斜視図である。
【図８】従来の印刷胴対の概略構成を示す斜視図である。
【発明を実施するための形態】
【００１９】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２０】
まず、第１実施形態に係るオフセット輪転印刷機について、図１〜図６を用いて説明する。第１実施形態に係るオフセット輪転印刷機は、４（Ｗ）×１（Ｌ）型オフセット輪転印刷機であり、連続紙（被印刷体）をロール状に巻いたロール紙をセットする連続紙供給ユニット（図示せず）と、連続紙供給ユニットから供給される連続紙の両面にオフセット印刷を施す印刷ユニット（図示せず）と、オフセット印刷後の連続紙を断裁して個々の枚葉状シートを形成すると共に、一枚の枚葉状シート又は複数の枚葉状シートからなる枚葉状シート群を折り畳んで折丁を形成する折機（図示せず）と、折機により形成された折丁を更に二つ折りする等の所定の処理を行い集積する後処理機構（図示せず）と、各構成の各種制御を実行する一又は複数の制御部（図示せず）とを備えている。なお、第１実施形態に係るオフセット輪転印刷機において、連続紙供給ユニット、折機、後処理機構及び制御部は、種々の公知のものを任意に用いることができるため、その説明を省略する。
【００２１】
印刷ユニットは、多数のインキ供給ローラーを有するインキ供給装置（図示せず）と、インキ供給装置から供給されたインキによって連続紙（被印刷体）に印刷を行う印刷胴対１とを備えている。また、印刷胴対１は、図１及び図２に示すように、印刷用ブランケット２０ａ，２０ｂが軸方向に並べて２つ装着されるブランケット胴１０と、刷版３２，３４が軸方向に並べて２つ装着される版胴３０とを備えている。
【００２２】
この印刷ユニットは、従来の印刷ユニットと同様に、ブランケット胴１０の印刷用ブランケット２０ａ，２０ｂと版胴３０の刷版３２，３４とが接触した状態で印刷稼働回転することにより、インキ供給装置から供給されたインキが版胴３０の刷版３２，３４を介してブランケット胴１０の印刷用ブランケット２０ａ，２０ｂに供給され、印刷用ブランケット２０ａ，２０ｂが走行する連続紙（被印刷体）と所定の圧力で接触することにより、連続紙に刷版３２，３４の内容（文字や画像等）が転写されるよう構成されている。
【００２３】
なお、第１実施形態に係る印刷ユニットにおいて、インキ供給装置は、種々の公知のものを任意に用いることができるため、その説明を省略する。また、図１、図２及び図６では、ブランケット胴１０のブランケット胴本体１１及び印刷用ブランケット２０ａ，２０ｂと、版胴３０の版胴本体３１及び刷版３２，３４のみを図示し、例えばブランケット胴本体１１及び版胴本体３１の両端部に設けられる取付け軸や、ブランケット胴１０のブランケット装着用溝１２，１４内に装備されるブランケット装着機構１６（図３参照）や、版胴３０の刷版装着用溝３６内に装備される刷版装着機構等については、種々の公知の構造を採用できるため、図示を省略している。
【００２４】
ブランケット胴１０は、図１及び図２に示すように、円柱状に形成されたブランケット胴本体１１と、ブランケット胴本体１１の周面部分に軸方向に並べて２つ装着された印刷用ブランケット２０ａ，２０ｂと、ブランケット胴本体１１のブランケット装着用溝１２，１４に埋め込まれる埋め部材（フィラー）４０とを備えている。なお、図２は、図１（ａ）に示す状態から、ブランケット胴１０が半回転（１８０度回転）し、版胴３０が１回転（３６０度回転）した状態を示している。
【００２５】
ブランケット胴本体１１は、新聞１頁の横方向の長さの４倍に略等しい軸方向の長さ（Ｗ）と、新聞１頁の縦方向の長さの２倍に略等しい周方向の長さ（Ｌ）とを有する周面を有し、この周面部分に図４に示すような印刷用ブランケット２０ａ，２０ｂを軸方向に並べて２つ装着することが可能な所謂４（Ｗ）×２（Ｌ）型の回転体（２倍胴）である。このブランケット胴本体１１は、その両端部にそれぞれ取付け軸（図示せず）が設けられており、これら取付け軸が軸受け（図示せず）を介してフレーム（図示せず）に取り付けられ、一方の取付け軸に接続される回転駆動手段（図示せず）により、版胴３０の周速度と同期して同速で回転駆動されるよう構成されている。
【００２６】
また、ブランケット胴本体１１は、図１（ａ）に示すように、軸方向の一端部１０ａから軸方向の中央部（中間位置）に亘って開口する第１ブランケット装着用溝１２と、図２に示すように、軸方向の他端部１０ｂから軸方向の中央部（中間位置）に亘って開口する第２ブランケット装着用溝１４とが形成されている。これら第１ブランケット装着用溝１２及び第２ブランケット装着用溝１４は、それぞれ、ブランケット胴本体１１の軸方向長さの二分の一の長さを有し、ブランケット胴本体１１の軸方向と平行となるよう形成されている。また、これら第１ブランケット装着用溝１２及び第２ブランケット装着用溝１４は、互いに周方向の位置を１８０度ずらして形成されている。すなわち、第２ブランケット装着用溝１４は、図２に示すように、第１ブランケット装着用溝１２に対してブランケット胴本体１１の周方向に１８０度の間隔をおいて形成されている。
【００２７】
第１ブランケット装着用溝１２及び第２ブランケット装着用溝１４は、図３に示すように、それぞれ、その溝内にブランケット装着機構１６を収容可能な収容凹部１７が形成されている。第１ブランケット装着用溝１２及び第２ブランケット装着用溝１４の回転方向後方側の端縁部（エッジ部１５ａ）は、収容凹部１７内の咥え側の壁部とブランケット胴本体１１の外周面との交点を頂点とした角度が鋭角となるよう構成されている。収容凹部１７内の咥え側の壁部には、印刷用ブランケット２０ａ，２０ｂの後述する咥え側取付部２６が係合可能な係止凹部１５ｂが形成されており、この係止凹部１５ｂに印刷用ブランケット２０ａ，２０ｂの咥え側取付部２６を係合させることにより、印刷用ブランケット２０ａ，２０ｂの咥え側端部がエッジ部１５ａに係止されるよう構成されている。ここで、版胴回転方向とは、図３に示す矢印Ａの方向である。
【００２８】
ブランケット装着機構１６は、図３に示すように、第１ブランケット装着用溝１２又は第２ブランケット装着用溝１４に沿って延びる棒状の巻込み軸と、巻込み軸を角変位（回転）させる操作手段とを備えており、この巻込み軸に、印刷用ブランケット２０ａ，２０ｂの後述する咥え尻側取付部２８が係合可能な溝部１６ａが形成されている。このブランケット装着機構１６は、巻込み軸の溝部１６ａに印刷用ブランケット２０ａ，２０ｂの咥え尻側取付部２８を係合させた状態で操作手段によって巻込み軸を角変位させることにより、印刷用ブランケット２０ａ，２０ｂの咥え尻側取付部２８を脱着させるよう構成されている。なお、第１実施形態に係るブランケット胴１０において、ブランケット装着機構１６は、図示の例に限定されず、種々の公知のブランケット装着機構を採用可能である。
【００２９】
印刷用ブランケット２０ａ，２０ｂは、図４に示すように、それぞれ、シート状のブランケット本体２２と、ブランケット本体２２の長手方向の中央部において、ブランケット本体２２の幅方向に沿って設けられた帯状の撥インキ部２４とを備えている。
【００３０】
ブランケット本体２２は、布製のシート材からなる基布層と、基布層上に積層された弾性層とを備えるシート状ブランケットであり、長手方向の一端部にブランケット胴本体１１の係止凹部１５ｂに係止される咥え側取付部２６が設けられ、長手方向の他端部にブランケット装着機構１６の溝部１６ａに係止される咥え尻側取付部２８が設けられている。このブランケット本体２２は、ブランケット胴本体１１の軸方向長さの半分の幅方向長さと、ブランケット胴本体１１の外周面に１周して装着可能な長手方向長さとを有している。なお、ブランケット本体２２は、公知の布製ブランケットを用いることができるため、その詳細な説明は省略する。
【００３１】
撥インキ部２４は、ブランケット本体２２の外周面（表面）よりも高い撥インキ性を有しており、図１（ａ）、図２及び図４に示すように、ブランケット本体２２の長手方向の中央部（中間位置）において、ブランケット本体２２の幅方向の一端部又はその近傍から幅方向の他端部又はその近傍に亘って、ブランケット本体２２の幅方向に沿って帯状に設けられている。この撥インキ部２４は、ブランケット本体２２の外周面よりもインキに対する親和性が低い材料からなる撥インキ層と、撥インキ層の下面側に積層され、撥インキ層をブランケット本体２２の外周面に貼り付ける粘着層とを有する撥インキ性シート材をブランケット本体２２の外周面に貼り付けることにより形成されている。撥インキ層は、例えば、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリクロロトリフルオロエチレン（ＰＣＴＦＥ）及びポリフッ化ビニリデン（ＰＶＤＦ）等の高い撥インキ性を有する材料（インキに対する親和性が低い材料）から形成されている。
【００３２】
一方の印刷用ブランケット２０ａは、図１に示すように、咥え側取付部２６及び咥え尻側取付部２８がブランケット胴本体１１の第１ブランケット装着用溝１２内に差入れられ、咥え尻側取付部２８が第１ブランケット装着用溝１２内に装備されたブランケット装着機構１６によって溝内に引き込まれることにより、第１ブランケット装着用溝１２が形成された側のブランケット胴本体１１の外周面に均等に緊張した状態で装着されるよう構成されている。また、他方の印刷用ブランケット２０ｂは、図２に示すように、一方の印刷用ブランケット２０ａと同様の方法により、第２ブランケット装着用溝１４が形成された側のブランケット胴本体１１の外周面に均等に緊張した状態で装着されるよう構成されている。
【００３３】
埋め部材４０は、図１〜図３及び図５に示すように、ブランケット胴本体１１のブランケット装着用溝１２，１４に沿って延びる長尺な埋め部材本体４２と、埋め部材本体４２の天面全域に貼り付けられた長尺な撥インキ性シート材（天面部）４８とを備えている。
【００３４】
埋め部材本体４２は、図３及び図５に示すように、頭部４４と、頭部４４から下方かつブランケット胴１０の回転方向の後方側（図３の左側）に向けて傾斜して延びる脚部４６とを有しており、第１ブランケット装着用溝１２（第２ブランケット装着用溝１４）の軸方向の長さと略等しい軸方向の長さを有している。
【００３５】
脚部４６は、斜め下方に向けて先細りとなる楔形の断面形状を有しており、印刷用ブランケット２０ａ（２０ｂ）が装着された状態のブランケット胴本体１１の第１ブランケット装着用溝１２（第２ブランケット装着用溝１４）に差し込み可能な大きさを有している。脚部４６は、印刷用ブランケット２０ａ（２０ｂ）が装着された状態のブランケット胴本体１１の第１ブランケット装着用溝１２（第２ブランケット装着用溝１４）に差し込まれた際に、図３に示すように、ブランケット胴１０の回転方向の後方側（図３の左側）を向く第１傾斜面４６ａがブランケット本体２２の咥え側の外周面と密に接触すると共に、ブランケット胴１０の回転方向の前方側（図３の右側）を向く第２傾斜面４６ｂがブランケット本体２２の咥え尻側の外周面と密に接触し、ブランケット本体２２との間の接触摩擦及びブランケット本体２２からの反力等によって、第１ブランケット装着用溝１２（第２ブランケット装着用溝１４）からの抜け出しが防止されるよう構成されている。脚部４６の第１傾斜面４６ａには、金属板等の硬質の補強板材４７が設けられており、頭部４４よりも脚部４６の強度が高くなるよう構成されている。
【００３６】
頭部４４は、下方に向けて先細りとなる略逆三角形の断面形状を有しており、印刷用ブランケット２０ａ（２０ｂ）が装着された状態のブランケット胴本体１１の第１ブランケット装着用溝１２（第２ブランケット装着用溝１４）に脚部４６が差し込まれた際に、印刷用ブランケット２０ａ（２０ｂ）の咥え側及び咥え尻側の屈曲部にフィットし、第１ブランケット装着用溝１２（第２ブランケット装着用溝１４）を塞ぐことが可能な大きさを有している。頭部４４の天面は、平面状又はブランケット胴１０の回転方向に湾曲する曲面状に形成されており、撥インキ性シート材４８を貼り付け可能に構成されている。
【００３７】
以上の埋め部材本体４２は、例えば、所定の剛性及び緩衝性を有する素材、例えばニトリルゴム（ＮＢＲ）、天然ゴム（ＮＲ）、スチレンブタジエンゴム（ＳＢＲ）、クロロプレンゴム（ＣＲ）、シリコーンゴム（Ｑ）及びエチレンプロピレンゴム（ＥＰＭ）等から形成されている。埋め部材本体４２は、印圧変動を抑制する観点から、ブランケット胴本体１１と同程度の硬度を有することが好ましい。
【００３８】
撥インキ性シート材４８は、図３及び図５に示すように、埋め部材本体４２の天面全域を被覆可能な大きさを有する帯状のシート材であり、図３に示すように、ブランケット本体２２の外周面及びブランケット胴本体１１の外周面よりもインキに対する親和性が低い材料からなる撥インキ層４８ａと、撥インキ層４８ａを埋め部材本体４２の天面に貼り付ける粘着層４８ｂとを有している。撥インキ層は、例えば、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリクロロトリフルオロエチレン（ＰＣＴＦＥ）及びポリフッ化ビニリデン（ＰＶＤＦ）等の高い撥インキ性を有する材料（インキに対する親和性が低い材料）から形成されている。この撥インキ性シート材４８は、埋め部材本体４２の天面全域に貼り付けられることにより、埋め部材４０の天面部を構成している。
【００３９】
以上の埋め部材４０は、図１〜図３に示すように、埋め部材本体４２が、印刷用ブランケット２０ａ（２０ｂ）が装着された状態のブランケット胴本体１１の第１ブランケット装着用溝１２（第２ブランケット装着用溝１４）に差し込まれることにより、撥インキ性シート材４８の外周面（埋め部材４０の天面部）が、ブランケット胴本体１１に装着された印刷用ブランケット２０ａ（２０ｂ）の外周面と周方向に連続し、撥インキ性シート材４８の外周面（埋め部材４０の天面部）と印刷用ブランケット２０ａ（２０ｂ）の外周面とが一体となってブランケット胴１０の外周面を形成するよう構成されている。
【００４０】
以上のとおり、第１実施形態に係るブランケット胴１０は、図１及び図２に示すように、第１ブランケット装着用溝１２及び第２ブランケット装着用溝１４が周方向に１８０度ずれて形成され、これら第１ブランケット装着用溝１２及び第２ブランケット装着用溝１４にそれぞれ埋め部材４０が埋め込まれると共に、長手方向（ブランケット胴本体１１に巻き付けられた際の周方向）の中央部に撥インキ部２４が設けられた印刷用ブランケット２０ａ，２０ｂを、第１ブランケット装着用溝１２が形成された側のブランケット胴本体１１の外周面と、第２ブランケット装着用溝１４が形成された側のブランケット胴本体１１の外周面とにそれぞれ装着させるよう構成されている。すなわち、第１実施形態に係るブランケット胴１０は、第１ブランケット装着用溝１２及び第２ブランケット装着用溝１４に印刷用ブランケット２０ａ，２０ｂ及び埋め部材４０，４０が装着された際に、埋め部材４０の撥インキ性の天面部（撥インキ性シート材４８）と印刷用ブランケット２０ａ，２０ｂの撥インキ部２４とがそれぞれブランケット胴１０の軸方向に沿って一直線状に並び、これにより、ブランケット胴１０の軸方向の一端部から他端部に亘って延びる帯状の撥インキ部が、周方向に１８０度の間隔をおいて二本形成されるよう構成されている。
【００４１】
版胴３０は、図１（ａ）及び図２に示すように、円柱状に形成された版胴本体３１と、版胴本体３１の周面部分に軸方向に並べて２つ装着された刷版３２，３４とを備えている。
【００４２】
版胴本体３１は、新聞１頁の横方向の長さの４倍に略等しい軸方向の長さ（Ｗ）と、新聞１頁の縦方向の長さと略等しい周方向の長さ（Ｌ）とを有する周面を有し、この周面部分に刷版３２，３４を軸方向に並べて２つ装着することが可能な所謂４（Ｗ）×１（Ｌ）型の回転体（１倍胴）である。この版胴本体３１は、その両端部にそれぞれ取付け軸（図示せず）が設けられており、これら取付け軸が軸受け（図示せず）を介してフレーム（図示せず）に取り付けられ、一方の取付け軸に接続される回転駆動手段（図示せず）により、ブランケット胴１０の周速度と同期して同速で回転駆動されるよう構成されている。
【００４３】
また、版胴本体３１は、軸方向の一端部から他端部に亘って開口する刷版装着用溝３６が形成されている。刷版装着用溝３６は、その溝内に刷版装着機構（図示せず）を装備する溝であり、版胴本体３１の軸方向長さと等しい長さを有し、版胴本体３１の軸方向と平行となるよう形成されている。
【００４４】
刷版３２，３４は、金属製の可撓性を有する薄板材から形成されており、長手方向の一方側の端縁部を折り曲げることにより形成された咥え側端部３７と、長手方向の他方側の端縁部を折り曲げることにより形成された咥え尻側端部３８とを備えている。刷版３２，３４は、版胴本体３１の軸方向長さの半分の幅方向長さと、版胴本体３１の周方向長さよりも咥え側端部３７及び咥え尻側端部３８分だけ長い長手方向長さとを有している。なお、刷版３２，３４は、公知の刷版を用いることができるため、その詳細な説明は省略する。また、刷版３２，３４は、版胴本体３１の軸方向長さの４分の１の幅方向長さを有するものを用いても良く、この場合には、版胴本体３１の周面部分に軸方向に並べて４つ装着されることとなる。
【００４５】
この刷版３２，３４は、それぞれ、咥え側端部３７及び咥え尻側端部３８が版胴本体３１の刷版装着用溝３６内に差入れられ、刷版装着用溝３６内に装備された刷版装着機構（図示せず）によって咥え尻側端部３８が溝内に引き込まれることにより、版胴本体３１の外周面に均等に緊張した状態で装着されるよう構成されている。
【００４６】
第１実施形態に係るオフセット輪転印刷機は、図６（ａ）〜図６（ｄ）に示すように、印刷用ブランケット２０ａ，２０ｂ及び埋め部材４０，４０が装着されたブランケット胴１０と、刷版３２，３４が装着された版胴３０とを、一組の印刷胴対として組み合わせ、印刷稼働時に、二組の印刷胴対が、それぞれのブランケット胴１０に装着された印刷用ブランケット２０ａ，２０ｂの外周面を、例えば連続紙である被印刷体Ｗを介して、互いに押付けられて接触させられ、互いに周面の接触位置が被印刷体Ｗを走行させる方向に変位して回転するよう構成されている。
【００４７】
具体的には、両ブランケット胴１０，１０は、図６（ａ）及び図６（ｃ）に示すように、印刷稼動回転時において、第１ブランケット装着用溝１２及び第２ブランケット装着用溝１４にそれぞれ装着された埋め部材４０，４０並びにこれら埋め部材４０，４０の撥インキ性の天面部に軸方向に連続する印刷用ブランケット２０ａ，２０ｂの撥インキ部２４，２４が、被印刷体Ｗを介して互いに相対する関係で配されている。また、各印刷胴対は、図６（ｂ）及び図６（ｄ）に示すように、印刷稼動回転時において、ブランケット胴１０に装着された印刷用ブランケット２０ａ，２０ｂの外周面と版胴３０に装着された刷版３２，３４の版面が接触して互いに接触周面が同一方向に変位して回転するとともに、ブランケット胴１０の一方のブランケット装着用溝（第１ブランケット装着用溝１２又は第２ブランケット装着用溝１４）に装着された埋め部材４０の撥インキ性の天面部及びこの埋め部材４０の撥インキ性の天面部に連続する印刷用ブランケット（印刷用ブランケット２０ｂ又は印刷用ブランケット２０ａ）の撥インキ部２４と、版胴３０の刷版装着用溝３６の開口とが相対する関係で配されている。そして、この印刷胴対では、ブランケット胴１０が２倍胴であり、版胴３０が１倍胴であることから、ブランケット胴１０が１回転したときに版胴３０が２回転するよう構成されている。
【００４８】
以上説明したとおり、第１実施形態に係るブランケット胴１０は、軸方向に沿って延びるブランケット装着用溝１２，１４が形成されたブランケット胴本体１１と、ブランケット胴本体１１の外周面に装着されるシート状の印刷用ブランケット２０ａ，２０ｂと、ブランケット胴本体１１のブランケット装着用溝１２，１４に沿って延び、ブランケット装着用溝１２，１４に埋め込まれる埋め部材４０とを備え、埋め部材４０は、ブランケット胴本体１１に装着された印刷用ブランケット２０ａ，２０ｂの外周面と周方向に連続する天面部（撥インキ性シート材４８）を有し、この天面部が印刷用ブランケット２０ａ，２０ｂの外周面よりも高い撥インキ性を有している。
【００４９】
このようなブランケット胴１０によれば、ブランケット胴本体１１のブランケット装着用溝１２，１４に、印刷用ブランケット２０ａ，２０ｂの外周面と周方向に連続する天面部を有する埋め部材４０が埋め込まれることにより、ブランケット装着用溝１２，１４に起因する凹みを無くす又は低減させることが可能となるため、ブランケット装着用溝１２，１４に起因する振動を低減させることができる。また、第１実施形態に係るブランケット胴１０によれば、埋め部材４０の天面部（撥インキ性シート材４８）が撥インキ性を有していることにより、刷版３２，３４の折曲げ位置近傍の刷版３２，３４面上に残留するインキが埋め部材４０の天面部に転移されることを効果的に抑制することができ、これにより、残留インキが埋め部材４０の天面部を介して被印刷体Ｗの表面に印刷されることを確実に防止することができる。
【００５０】
また、第１実施形態に係るブランケット胴１０では、印刷用ブランケット２０ａ，２０ｂの長手方向（ブランケット胴本体１１に巻き付けられた際の周方向）の中央部にも撥インキ部２４が設けられていることにより、埋め部材４０の天面部に対する残留インキの転移だけでなく、印刷用ブランケット２０ａ，２０ｂに対する転移をも効果的に抑制することができるため、版胴３０の残留インキがブランケット胴１０を介して被印刷体Ｗの表面に印刷されることをより確実に防止することができる。特に、第１実施形態に係るブランケット胴１０では、特許文献１に記載の印刷用ブランケットと異なり、印刷用ブランケットの中央部（中間位置）に凹みを形成する必要がないため、ブランケット胴１０と版胴３０とが印圧作用下で接触しながら回転した場合であっても印圧変動が生じることがなく、被印刷体Ｗの表面にショック目やダブリ等の印刷障害が生じるおそれや、印圧変動に伴う版胴の振動の発生を効果的に抑制することができる。
【００５１】
さらに、特許文献１に記載の印刷用ブランケットは、基部が可撓製を有する金属製の板材からなり、この基部の表面上に弾性層（ゴム層）が貼り付けられて構成される、所謂メタルバックブランケットであるため、基部が布製のブランケットと比較するとコストが割高であり、ランニングコストが嵩むという問題がある。これに対し、第１実施形態に係るブランケット胴１０では、基部が布製の安価な印刷用ブランケット２０ａ，２０ｂを用いることができるため、ランニングコストを低減させることができる。
【００５２】
次に、第２実施形態に係るオフセット輪転印刷機について、図７を用いて説明する。なお、第２実施形態に係るオフセット輪転印刷機において、埋め部材４０´以外の構成については、第１実施形態に係るオフセット輪転印刷機と同様の構成を採用することが可能であるため、それらの説明を省略する。
【００５３】
第２実施形態に係る埋め部材４０´は、第１実施形態に係る埋め部材４０と異なり、撥インキ層４８ａ及び粘着層４８ｂを有する撥インキ性シート材４８を有しておらず、補強板材４７´を除く埋め部材４０´の全体が、ブランケット本体２２の外周面よりもインキに対する親和性が低い材料を含有する材料から形成されている。このような埋め部材４０´を形成する材料としては、例えば、埋め部材４０´を構成する主たる素材、例えばニトリルゴム（ＮＢＲ）、天然ゴム（ＮＲ）、スチレンブタジエンゴム（ＳＢＲ）、クロロプレンゴム（ＣＲ）、シリコーンゴム（Ｑ）及びエチレンプロピレンゴム（ＥＰＭ）等の所定の剛性及び緩衝性を有する素材に、撥油・撥水性を付加する添加材、例えばモリブデン（ＭＯ）、チタン（Ｔｉ）、ジルコニウム（Ｚｒ）、ニッケル（Ｎｉ）、胴（Ｃｕ）、アルミニウム（Ａｌ）、クロム（Ｃｒ）、鉄（Ｆｅ）、銀（Ａｇ）及び金（Ａｕ）等を添加したものを用いることが可能である。
【００５４】
このような第２実施形態に係る埋め部材４０´によれば、第１実施形態に係る埋め部材４０と同様に、ブランケット胴本体１１のブランケット装着用溝１２，１４に埋め込まれることにより、刷版装着用溝３６及びブランケット装着用溝１２，１４に起因する版胴３０の振動を低減させることができる。また、第２実施形態に係る埋め部材４０´によれば、第１実施形態に係る埋め部材４０と同様に、ブランケット胴本体１１に装着された印刷用ブランケット２０ａ，２０ｂの外周面と周方向に連続する天面部がブランケット本体２２の外周面よりも高い撥インキ性を有することにより、刷版３２，３４の端部に残留したインキが被印刷体の表面に転移されることを抑制することができる。
【００５５】
以上、本発明の好適な実施形態について説明したが、本発明の技術的範囲は、上述した実施形態に記載の範囲には限定されない。上記各実施形態には、多様な変更又は改良を加えることが可能である。
【００５６】
例えば、上述した実施形態における説明では、ブランケット本体２２が、布製のシート材からなる基布層と、基布層上に積層された弾性層とを備えるものとして説明したが、これに限定されず、種々のブランケット本体を用いることが可能である。
【００５７】
上述した実施形態における説明では、ブランケット胴１０が４（Ｗ）×２（Ｌ）の周面を有し、版胴３０が４（Ｗ）×１（Ｌ）の周面を有するものとして説明したが、これに限定されず、ブランケット胴の周長が版胴の周長の整数倍であれば良い。
【００５８】
上述した実施形態における説明では、印刷用ブランケット２０ａ，２０ｂの撥インキ部２４が撥インキ層及び粘着層を有する撥インキ性シート材からなるものとして説明したが、これに限定されず、例えばブランケット本体２２の外周面に、ブランケット本体２２の外周面よりもインキに対する親和性が低い（撥インキ性が高い）材料からなる撥インキ剤が塗布されることにより形成された薄膜（撥インキ層）であるとしても良い。また、上述した実施形態における説明では、埋め部材４０の天面部が、埋め部材本体４２の天面に貼り付けられた撥インキ性シート材４８により構成されるものとして説明したが、これに限定されず、埋め部材本体４２の天面に撥インキ剤が塗布されることにより形成された薄膜（撥インキ層）であるとしても良い。このような撥インキ剤としては、例えば、有機化合物（有機溶媒）と有機塩素化合物からなる混合物、又は、シリコーン樹脂、フッ素樹脂、ゼラチン、カゼイン、ポリビニルアルコール、アラビアゴム、高吸水性樹脂、寒天若しくはセルロース系樹脂又はこれらを２種以上混合させた混合物を例示することができる。アラビアゴム等の湿し水に溶解するものは、水なし版を使用する場合にのみ使用可能である。また、親水性基を多く含むものや、水分を多量に含有することができる物質を使用する場合には、水分と共にグリセリン等のアルコールを含有させて、膨潤の程度を調整することが好ましい。
【００５９】
上述した実施形態における説明では、埋め部材本体４２の脚部４６の第１傾斜面４６ａに補強板材４７，４７´が設けられるものとして説明したが、これに限定されず、脚部４６の第２傾斜面４６ｂに補強板材４７，４７´が設けられる構成としても良いし、脚部４６に補強板材４７，４７´が設けられない構成としても良い。また、脚部４６に補強板材４７，４７´が設けられない構成とした場合には、例えば、埋め部材本体４２を形成する材料における硬化助剤の混合比率を変えることにより、脚部４６を硬質（例えばデュロメーター硬さが９０〜１００程度）に形成し、頭部４４の天面近傍、例えば天面から１．５〜２ミリメートル程度を軟質（例えばデュロメーター硬さが３０〜８０程度）に形成しても良いし、硬化助剤の混合比率を変えずに、頭部４４及び脚部４６を略同程度の硬さに形成しても良い。さらに、埋め部材４０，４０´は、上述した実施形態の構成に限定されずに、ブランケット装着用溝１２，１４に埋め込み可能で、かつ、ブランケット胴本体１１に装着された印刷用ブランケット２０ａ，２０ｂの外周面と周方向に連続する天面部を有し、この天面部が印刷用ブランケット２０ａ，２０ｂの外周面よりも高い撥インキ性を有するものであれば、種々の構成のものを採用することが可能である。
【符号の説明】
【００６０】
１  印刷胴対、１０  ブランケット胴、１１  ブランケット胴本体、１２  第１ブランケット装着用溝、１４  第２ブランケット装着用溝、１５ａ  エッジ部、１５ｂ  係止凹部、１６  ブランケット装着機構、１６ａ  溝部、１７  収容凹部、２０ａ，２０ｂ  印刷用ブランケット、２２  ブランケット本体、２４  撥インキ部、２６  咥え側取付部、２８  咥え尻側取付部、３０  版胴、３１  版胴本体、３２，３４  刷版、３６  刷版装着用溝、４０，４０´  埋め部材、４２  埋め部材本体、４４  頭部、４６  脚部、４６ａ  第１傾斜面、４６ｂ  第２傾斜面、４７，４７´  補強板材、４８  撥インキ性シート材（天面部）、４８ａ  撥インキ層、４８ｂ  粘着層
【図１】
2017154425.tif 000003
【図２】
2017154425.tif 000004
【図３】
2017154425.tif 000005
【図４】
2017154425.tif 000006
【図５】
2017154425.tif 000007
【図６】
2017154425.tif 000008
【図７】
2017154425.tif 000009
【図８】
2017154425.tif 000010